(57)【要約】【課題】通信機器が有する通信インタフェースを介して特性を試験することが可能な通信機器の特性試験方法を提供する。【解決手段】ブルートゥースの通信部２７，４５を介して通信機器４に接続された情報処理装置１が、通信機器４に試験の条件設定要求及び試験要求を送信し、受信した試験結果に基づいて通信機器４の特性の良否を判定して判定結果を表示部２１に表示する。通信機器４は、受信した条件設定要求に基づいて試験の条件設定を行い、受信した試験要求に基づいて実行した試験の結果を情報処理装置１に送信する。【選択図】図１
2012070265.tif 000002
【特許請求の範囲】
【請求項１】
通信手段を介して通信機器及び情報処理装置を接続し、前記通信機器の特性を試験する方法において、
前記情報処理装置は、
前記通信機器に行わせる試験に応じた試験要求を送信し、
試験結果を受信し、
受信した試験結果に基づいて前記通信機器の特性の良否を判定すること
を特徴とする通信機器の特性試験方法。
【請求項２】
前記通信機器及び情報処理装置は、ブルートゥースによる通信手段を介して接続することを特徴とする請求項１に記載の通信機器の特性試験方法。
【請求項３】
前記通信機器は、
試験要求を受信し、
受信した試験要求に基づく試験を行い、
試験結果を送信すること
を特徴とする請求項１又は２に記載の通信機器の特性試験方法。
【請求項４】
前記情報処理装置は、
前記通信機器の所定部位の電圧を検出させる試験に応じた試験要求を送信すること
を特徴とする請求項３に記載の通信機器の特性試験方法。
【請求項５】
前記情報処理装置は、
前記通信機器に行わせる試験の条件設定に応じた条件設定要求を送信し、
前記通信機器は、
条件設定要求を受信し、
受信した条件設定要求に基づく条件設定を行うこと
を特徴とする請求項３又は４に記載の通信機器の特性試験方法。
【請求項６】
前記情報処理装置は、
前記通信機器の所定部位に所定電圧を印加させる条件設定に応じた条件設定要求を送信すること
を特徴とする請求項５に記載の通信機器の特性試験方法。
【請求項７】
前記情報処理装置は、
前記通信機器を所定の電気回路と接続して前記通信機器に試験の条件設定を行うこと
を特徴とする請求項３から６の何れか１項に記載の通信機器の特性試験方法。
【発明の詳細な説明】
【技術分野】
【０００１】
本発明は、通信機器の特性試験方法に関する。
【背景技術】
【０００２】
マイクロコンピュータ（マイコン）を含んでなるＥＣＵ等の通信機器が搭載された車両では、電気的なインタフェースを有する通信機器が、電気回路及び／又は他の通信機器と接続されて、車両の運行に係る種々の制御を行っている。工場における出荷前の試験、及び保守の際の試験では、これらの通信機器が所望の特性を有するか否かを試験する必要がある。この場合、通信機器のケースを開放し、試験対象の部位に測定器を接続して試験を行うことにより、通信機器の特性を容易に試験することができる。
【０００３】
一方、通信機器が防水構造を有するケースに収容されている場合、一般的にはＯリング等のシール部材を介して２つの蓋体（又はケース本体及び蓋体）がネジで接合されたケースが用いられており（特許文献１参照）、上述したように通信機器の試験対象の部位に測定器を接続するには、ケースの蓋体を開放しなければならない。
【先行技術文献】
【特許文献】
【０００４】
【特許文献１】実用新案登録第２５８５８００号公報
【発明の概要】
【発明が解決しようとする課題】
【０００５】
しかしながら、防水構造を有するケースの蓋体を開放した場合は、試験後に蓋体を閉止したときに、シール部材を含めた蓋体同士（又はケース本体及び蓋体）の接合が不完全になり易いという問題がある。また、例えばケースに収容した通信機器を恒温槽に収容したまま、通信機器の特性を試験しなければならないこともある。これに対し、特性評価用のコネクタを通信機器に設けた場合は、その分コスト増となる。
【０００６】
本発明は斯かる事情に鑑みてなされたものであり、その目的とするところは、通信機器が有する通信インタフェースを介して特性を試験することが可能な通信機器の特性試験方法を提供することにある。
【課題を解決するための手段】
【０００７】
本発明に係る通信機器の特性試験方法は、通信手段を介して通信機器及び情報処理装置を接続し、前記通信機器の特性を試験する方法において、前記情報処理装置は、前記通信機器に行わせる試験に応じた試験要求を送信し、試験結果を受信し、受信した試験結果に基づいて前記通信機器の特性の良否を判定することを特徴とする。
【０００８】
本発明にあっては、通信手段を介して通信機器に接続された情報処理装置が、通信機器に試験要求を送信し、受信した試験結果に基づいて通信機器の特性の良否を判定する。
これにより、通信機器が通信インタフェースを備えている場合は、特別なインタフェースの追加なしに通信機器の特性が試験される。
【０００９】
本発明に係る通信機器の特性試験方法は、前記通信機器及び情報処理装置は、ブルートゥース（登録商標）による通信手段を介して接続することを特徴とする。
【００１０】
本発明にあっては、ブルートゥースによって通信機器に接続された情報処理装置が、通信機器の特性を試験する。
これにより、通信機器がブルートゥースの通信インタフェースを備えている場合は、無線又は有線によるトランスペアレントな伝送手段を介して通信機器の特性が試験される。
【００１１】
本発明に係る通信機器の特性試験方法は、前記通信機器は、試験要求を受信し、受信した試験要求に基づく試験を行い、試験結果を送信することを特徴とする。
【００１２】
本発明にあっては、通信機器が、受信した試験要求に基づいて実行した試験の結果を情報処理装置に送信する。
これにより、通信機器に予め準備された複数の試験のうちの１つに応じた試験要求が情報処理装置から送信される場合は、試験要求に基づいて選択された試験が通信機器で行われる。
【００１３】
本発明に係る通信機器の特性試験方法は、前記情報処理装置は、前記通信機器の所定部位の電圧を検出させる試験に応じた試験要求を送信することを特徴とする。
【００１４】
本発明にあっては、通信機器に所定部位の電圧を検出させる試験が、情報処理装置から要求される。
これにより、電圧が検出される部位の電圧の高低が通信機器の特性を左右する場合は、通信機器の特性が的確に試験される。
【００１５】
本発明に係る通信機器の特性試験方法は、前記情報処理装置は、前記通信機器に行わせる試験の条件設定に応じた条件設定要求を送信し、前記通信機器は、条件設定要求を受信し、受信した条件設定要求に基づく条件設定を行うことを特徴とする。
【００１６】
本発明にあっては、試験の条件設定に応じた条件設定要求が情報処理装置から通信機器に送信され、通信機器が試験の条件設定を行う。
これにより、試験に適した試験条件が通信機器に設定される。
【００１７】
本発明に係る通信機器の特性試験方法は、前記情報処理装置は、前記通信機器の所定部位に所定電圧を印加させる条件設定に応じた条件設定要求を送信することを特徴とする。
【００１８】
本発明にあっては、所定部位に所定電圧を印加させる旨の条件設定が、情報処理装置から通信機器に要求される。
これにより、所定部位に印加される電圧の高低が通信機器の特性を左右する場合は、通信機器の特性が的確に試験される。
【００１９】
本発明に係る通信機器の特性試験方法は、前記情報処理装置は、前記通信機器を所定の電気回路と接続して前記通信機器に試験の条件設定を行うことを特徴とする。
【００２０】
本発明にあっては、通信機器に所定の電気回路を接続することにより、通信機器に試験の条件設定が行われる。
これにより、通信機器が有するインタフェースに接続される電気回路の有無が通信機器の特性を左右する場合は、通信機器の特性が的確に試験される。また、通信機器が有するインタフェースから直接的に試験条件が設定される。
【発明の効果】
【００２１】
本発明によれば、通信手段を介して通信機器に接続された情報処理装置から、通信機器の特性の良否が判定される。
これにより、通信機器が通信インタフェースを備えている場合は、特別なインタフェースの追加なしに通信機器の特性が試験される。
従って、通信機器が有する通信インタフェースを介して通信機器の特性を試験することが可能となる。また、通信によるトランスペアレントな伝送が提供されるため、通信機器に行わせる試験を情報処理装置から指定することが可能となる。
【図面の簡単な説明】
【００２２】
【図１】本発明の実施の形態に係る情報処理装置及び通信機器の構成例を示すブロック図である。
【図２】通信機器の特性を試験する情報処理装置の処理内容（概要）を説明するための図表である。
【図３】情報処理装置から通信機器の特性を試験するＣＰＵの処理手順を示すフローチャートである。
【図４】情報処理装置から通信機器の特性を試験するＣＰＵの処理手順を示すフローチャートである。
【発明を実施するための形態】
【００２３】
以下、本発明をその実施の形態を示す図面に基づいて詳述する。
図１は、本発明の実施の形態に係る情報処理装置及び通信機器の構成例を示すブロック図である。図中１はパーソナルコンピュータからなる情報処理装置であり、情報処理装置１は、ＬＣＤからなる表示部２１及びキーボード２２が接続された制御部１０を備える。制御部１０は、ＣＰＵ１１を有し、ＣＰＵ１１は、ＢＩＯＳ（Basic Input Output System ）等の情報を記憶するＲＯＭ１２、プログラム及び一時的に発生した情報を記憶するＲＡＭ１３、並びにハードディスク等の内部記憶装置１４とバス接続されている。制御部１０には、また、ＤＣ電源（ＤＣ）３１のオン・オフ及び出力電圧を制御するためのシリアルインタフェース（ＲＳ−２３２Ｃ）２３と、外部に対する各種の入出力を行う入出力部（Ｉ／Ｏ）２４と、ブルートゥース（ＢＴ）による通信を行う通信部２７を制御するためのシリアルインタフェース２５とが接続されている。
【００２４】
ＤＣ電源３１の出力端子は、通信機器４の電源（＋Ｂ）端子４０１に電力線で接続されると共に、入出力部２４に接続されたリレー駆動回路（ＲＹ）３３ａによって駆動されるリレー接点３３ｂを介して通信機器４のＡ信号端子４０２に接続されている。入出力部２４には、また、通信機器４のＢ信号端子４０３及びＧＮＤ端子４０４間に抵抗器Ｒ２を介して接続されたリレー接点３４ｂを駆動するリレー駆動回路３４ａが接続されている。リレー接点３４ｂ及び抵抗器Ｒ２の直列回路には、抵抗器Ｒ１が並列に接続されている。
【００２５】
通信機器４は、樹脂からなる防水ケース４０に収容されており、ＣＰＵ４１を備える。ＣＰＵ４１は、プログラム等の情報を記憶するＲＯＭ４２、一時的に発生した情報を記憶するＲＡＭ４３、通信機器４内の各部位に対する入出力を行う入出力部（Ｉ／Ｏ）４４、及びブルートゥース（ＢＴ）による通信を行う通信部４５とバス接続されている。通信機器４のＡＣ入力端子４０５，４０６には、外部のＡＣ電源５が接続されている。通信機器４が動作している場合、ＣＰＵ４１から通信部４５に対して通信制御が行われ、通信部４５はサーバとしてのサービス起動中となって、クライアントからの接続を待ち受けるようになっている。ブルートゥースの通信部４５は、本来携帯電話と通信するためのものであるが、本実施の形態では、通信機器４の特性試験に用いる。
【００２６】
Ａ信号端子４０２は、電源端子４０１に電源電圧が印加されている場合に、通信機器４を動作させるための動作制御信号が与えられる端子である。Ａ信号端子４０２に与えられるべき動作制御信号は、電源端子４０１に印加される電源電圧と同電圧の信号であり、この動作制御信号の有／無によって、通信機器４の動作／停止が切り替わるようになっている。つまり、ＤＣ電源３１が通信機器４を動作させる動作制御信号を出力しており、ＤＣ電源３１がリレー接点３３ｂによって通信機器４と接続／切り離しされることにより、通信機器４が動作／停止する。
【００２７】
Ｂ信号端子４０３は、所定の電気回路が接続されたときに、その接続が検出されるようになっている端子である。Ｂ信号端子４０３には、通信機器４側から所定電圧（１２Ｖ）を印加することができ、そのときのＢ信号端子４０３の端子電圧が、通信機器４側から検出される。本実施の形態では、Ｂ信号端子４０３端子から見た電気回路側の抵抗値の小／大によって、Ｂ信号端子４０３で検出される電圧が低／高に変化する。具体的には、Ｂ信号端子４０３端子から見た抵抗値が大（抵抗器Ｒ１の抵抗値）の場合、Ｂ信号端子４０３で検出される電圧は１２Ｖであり、Ｂ信号端子４０３端子から外部の電気回路を見た抵抗値が小（抵抗器Ｒ１，Ｒ２の並列抵抗値）の場合、Ｂ信号端子４０３で検出される電圧は９Ｖである。Ｂ信号端子４０３で検出される電圧が１２Ｖから９Ｖに低下した場合、通信機器４において電気回路の接続が検出される。換言すれば、一種の電気回路である抵抗器Ｒ２がリレー接点３４ｂによって通信機器４と接続されたときに、その接続が検出される。
尚、図１では、機器（又は装置）間の接地電位の接続を図示せずに省略してある。
【００２８】
情報処理装置１の制御部１０が有する内部記憶装置１４は、ＣＰＵ１１が実行すべきコンピュータプログラムを記憶している。ＣＰＵ１１は、ＲＯＭ１２に記憶されているＢＩＯＳに基づいて内部記憶装置１４からＲＡＭ１３にプログラムローダをロードし、該ローダに基づいて内部記憶装置１４からコンピュータプログラムをＲＡＭ１３にロードする。その後、ＣＰＵ１１は、ロードされたコンピュータプログラムに基づいて、通信機器４の特性試験に必要な処理を実行する。
【００２９】
次に、通信機器４の試験方法について説明する。
図２は、通信機器４の特性を試験する情報処理装置１の処理内容（概要）を説明するための図表である。情報処理装置１は、図２に示す順序で通信機器４の特性を試験して判定結果を表示部２１に表示する。
情報処理装置１は、順序１で通信機器４を動作させ、順序２で通信機器４とのブルートゥース（ＢＴ）による通信を確立させる。その後、情報処理装置１は、試験の条件設定要求として順序３でＢ信号端子４０３への電圧印加要求を送信し、更に、試験要求として順序４でＢ信号端子４０３の電圧検出要求を送信する。次いで、情報処理装置１は、順序５で電圧検出結果を受信して良否を判定し、判定結果を表示する。
【００３０】
次に、情報処理装置１は、通信機器４の外部インタフェースから試験の条件設定を行うために、順序６でリレー接点３４ｂをオンしてＢ信号端子４０３に抵抗器Ｒ２を接続し、試験要求として順序７で再びＢ信号端子４０３の電圧検出要求を送信する。最後に、情報処理装置１は、順序８で電圧検出結果を受信して良否を判定し、判定結果を表示する。
【００３１】
以上の構成及び試験方法に基づく通信機器４の試験手順を、フローチャートを用いて詳細に説明する。
図３，４は、情報処理装置１から通信機器４の特性を試験するＣＰＵ１１，４１の処理手順を示すフローチャートである。情報処理装置１では、キーボード２２から指示された通信機器４の試験が受け付けられたときに図３の処理が起動され、ＲＡＭ１３に予めロードされたコンピュータプログラムに従ってＣＰＵ１１により実行される。通信機器４では、通信機器４としての動作を開始したときに図３の処理が起動され、ＲＯＭ４２に予め格納された制御プログラムに従ってＣＰＵ４１により実行される。
【００３２】
図３の情報処理装置１の処理が起動された場合、ＣＰＵ１１は、ＤＣ電源３１の出力電圧を８Ｖに制御してオンさせる（Ｓ１１）と共に、Ａ信号端子４０２に接続されたリレー接点３３ｂをオンする（Ｓ１２）。その後、ＣＰＵ１１は、シリアルインタフェース２５を介し（以下同様）、通信部２７にブルートゥースのクライアントとして接続要求を送出させ（Ｓ１３）、通信部２７，４５間の通信が確立するか否かを判定して（Ｓ１４）、確立するまで待機する（Ｓ１４：ＮＯ）。
【００３３】
一方、通信機器４は、上述したように電源端子４０１に８Ｖの電源電圧が印加され、Ａ信号端子４０２に動作制御信号が入力されたときに動作を開始する。ＣＰＵ４１は、通信部４５にブルートゥースの接続待ちを開始させ（Ｓ３１）、通信部４５，２７間の通信が確立するか否かを判定して（Ｓ３２）、確立するまで待機する（Ｓ３２：ＮＯ）。
【００３４】
情報処理装置１に戻って、通信部２７，４５間の通信が確立した場合（Ｓ１４：ＹＥＳ）、ＣＰＵ１１は、条件設定要求としてＢ信号端子４０３への電圧印加要求を送信する（Ｓ１５）。その後、ＣＰＵ１１は、Ｂ信号端子４０３に印加される電圧が安定化する時間を見越すために、１秒が経過したか否かを判定し（Ｓ１６）、経過するまで待機する（Ｓ１６：ＮＯ）。１秒が経過した場合（Ｓ１６：ＹＥＳ）、ＣＰＵ１１は、試験要求としてＢ信号端子４０３の電圧検出要求を送信する（Ｓ１７）。
【００３５】
通信機器４で通信部４５，２７間の通信が確立したと判定された場合（Ｓ３２：ＹＥＳ）、ＣＰＵ４１は、試験要求又は条件設定要求を受信したか否かを判定して（Ｓ３３）受信するまで待機する（Ｓ３３：ＮＯ）。ここでは、ＣＰＵ１１が送信したＢ信号端子４０３への電圧印加要求を受信した場合（Ｓ３３：ＹＥＳ）、ＣＰＵ４１は、入出力部４４を介してＢ信号端子４０３に１２Ｖを印加する（Ｓ３４）。その後、ＣＰＵ４１は、再び試験要求又は条件設定要求を受信したか否かを判定して（Ｓ３５）受信するまで待機する（Ｓ３５：ＮＯ）。ここでは、ＣＰＵ１１が送信したＢ信号端子４０３の電圧検出要求を受信した場合（Ｓ３５：ＹＥＳ）、ＣＰＵ４１は、入出力部４４を介してＢ信号端子４０３の電圧を検出し（Ｓ３６）、電圧検出結果を情報処理装置１に送信する（Ｓ３７）。
【００３６】
情報処理装置１に戻って、ＣＰＵ１１は、電圧検出結果を受信したか否かを判定して（Ｓ１８）受信するまで待機する（Ｓ１８：ＮＯ）。電圧検出結果を受信した場合（Ｓ１８：ＹＥＳ）、ＣＰＵ１１は、検出されたＢ信号端子４０３の電圧が所定の範囲内（ここでは１２Ｖ±１Ｖ）にあるか否かに基づいて通信機器４の特性の良否を判定し（Ｓ１９）、判定結果を表示部２１に表示する（Ｓ２０）。
以上により、図２に示した順序１から順序５までの試験が終了する。以下では、図４に示す処理によって、図２の順序６から８までの試験を行う。
【００３７】
情報処理装置１のＣＰＵ１１は、Ｂ信号端子４０３に抵抗器Ｒ２（電気回路）を接続するために、Ｂ信号端子４０３に接続されたリレー接点３４ｂをオンし（Ｓ２１）、Ｂ信号端子４０３の電圧が安定化する時間を見越すために、１秒が経過したか否かを判定して（Ｓ２２）経過するまで待機する（Ｓ２２：ＮＯ）。１秒が経過した場合（Ｓ２２：ＹＥＳ）、ＣＰＵ１１は、試験要求としてＢ信号端子４０３の電圧検出要求を送信する（Ｓ２３）。
【００３８】
一方、通信機器４のＣＰＵ４１は、ステップＳ３７の処理を終えた後、試験要求又は条件設定要求を受信したか否かを判定して（Ｓ３８）受信するまで待機する（Ｓ３８：ＮＯ）。ここでは、ＣＰＵ１１が送信したＢ信号端子４０３の電圧検出要求を受信した場合（Ｓ３８：ＹＥＳ）、ＣＰＵ４１は、入出力部４４を介してＢ信号端子４０３の電圧を検出し（Ｓ３９）、電圧検出結果を情報処理装置１に送信して（Ｓ４０）図４の処理を終了する。
【００３９】
情報処理装置１に戻って、ＣＰＵ１１は、電圧検出結果を受信したか否かを判定して（Ｓ２４）受信するまで待機する（Ｓ２４：ＮＯ）。電圧検出結果を受信した場合（Ｓ２４：ＹＥＳ）、ＣＰＵ１１は、検出されたＢ信号端子４０３の電圧が所定の範囲内（ここでは９Ｖ±１Ｖ）にあるか否かに基づいて通信機器４の特性の良否を判定し（Ｓ２５）、判定結果を表示部２１に表示して（Ｓ２６）図４の処理を終了する。
【００４０】
以上のように本実施の形態によれば、ブルートゥースの通信部を介して通信機器に接続された情報処理装置が、通信機器に試験要求を送信し、受信した試験結果に基づいて通信機器の特性の良否を判定する。これにより、通信機器に特別なインタフェースを追加することなしに通信機器の特性が試験される。
従って、通信機器が有する通信インタフェースを介して特性を試験することが可能となる。
【００４１】
また、ブルートゥースによって通信機器に接続された情報処理装置が、通信機器の特性を試験する。
従って、無線によるトランスペアレントな伝送手段を介して通信機器の特性を試験することが可能となる。
【００４２】
更にまた、通信機器が、受信した試験要求に基づいて実行した試験の結果を情報処理装置に送信する。
従って、通信機器に予め準備された複数の試験のうちから、試験要求に基づいて選択させた試験を通信機器で行わせることが可能となる。
【００４３】
更にまた、通信機器にＢ信号端子の電圧を検出させる試験が、情報処理装置から要求される。
従って、検出される電圧の高低が通信機器の特性を左右する部位を的確に試験することが可能となる。
【００４４】
更にまた、試験の条件設定に応じた条件設定要求が情報処理装置から通信機器に送信され、通信機器が試験の条件設定を行う。
これにより、試験に適した試験条件を通信機器に設定することが可能となる。
【００４５】
更にまた、Ｂ信号端子に１２Ｖを印加させる旨の条件設定が、情報処理装置から通信機器に要求される。
従って、印加される電圧の高低が通信機器の特性を左右する部位を的確に試験することが可能となる。
【００４６】
更にまた、Ｂ信号端子に抵抗器からなる電気回路を接続することにより、通信機器に試験の条件設定が行われる。
従って、接続される電気回路の有無が通信機器の特性を左右するインタフェースを的確に試験することが可能となる。また、通信機器が有するインタフェースから直接的に試験条件を設定することが可能となる。
【００４７】
また、通信機器４に行わせる試験として、Ｂ信号端子４０３の電圧検出試験の例を示したが、これに限定されるものではなく、例えば、ＡＣ入力端子４０５，４０６にＡＣ電圧が印加されているときに、通信機器４に対してＡＣ電圧検出要求を送信し、試験結果を受信して表示することも可能である。
【００４８】
更にまた、試験要求に対する試験結果を受信するだけでなく、通信機器４の所定のインタフェースの所定の電気回路を接続／切り離ししたときに、通信機器４から状態変化信号を受信し、受信した内容に基づいて結果を表示部２１に表示するようにしてもよい。
【符号の説明】
【００４９】
１  情報処理装置
１０  制御部
１１  ＣＰＵ
２７  通信部（通信手段）
３１  ＤＣ電源
３３ｂ、３４ｂ  リレー接点
４  通信機器
４０  防水ケース
４１  ＣＰＵ
４５  通信部（通信手段）
Ｒ２  抵抗器（電気回路）
【図１】
2012070265.tif 000003
【図２】
2012070265.tif 000004
【図３】
2012070265.tif 000005
【図４】
2012070265.tif 000006